(57)【要約】【課題】通信端末に対して特別な操作を行うことなく相手の通信端末の状態を確認する。【解決手段】回線交換用ネットワーク３０に接続され、回線交換用ネットワーク３０を介して通信を行うノード２０ａ〜２０ｄを配下に持つエッジ装置１０ａ〜１０ｂが、当該エッジ装置の配下のノードについての過去の通信履歴を保持するプレゼンス用データベース１１と、当該エッジ装置の配下のノードから発信があった場合、または当該エッジ装置の配下のノードに着信があった場合に、その旨を通信履歴としてプレゼンス用データベース１１に保持するデータベース更新部１２と、当該エッジ装置の配下のノードに着信があった場合であって、そのノードとの接続が不可能である場合、プレゼンス用データベース１１からそのノードの通信履歴を取り出し、その通信履歴を当該着信の発信元のノードを配下に持つエッジ装置に送信する通信履歴提供部１３とを有する。【選択図】図１
2013090091.tif 000002
【特許請求の範囲】
【請求項１】
複数の通信端末と、前記通信端末を配下に持つ複数のエッジ装置とを有し、前記複数の通信端末が前記エッジ装置及び回線交換用ネットワークを介して通信を行うネットワークシステムにおいて、
前記複数のエッジ装置のそれぞれは、
当該エッジ装置の配下の通信端末についての過去の通信履歴を保持するデータベースと、
当該エッジ装置の配下の通信端末から発信があった場合、または当該エッジ装置の配下の通信端末に着信があった場合に、その旨を前記通信履歴として前記データベースに保持するデータベース更新手段と、
当該エッジ装置の配下の通信端末に着信があった場合であって、当該通信端末との接続が不可能である場合、前記データベースから当該通信端末の通信履歴を取り出し、該通信履歴を当該着信の発信元の通信端末を配下に持つエッジ装置に送信する通信履歴提供手段とを有するネットワークシステム。
【請求項２】
請求項１に記載のネットワークシステムにおいて、
前記複数のエッジ装置のそれぞれは、他のエッジ装置の前記通信履歴提供手段から送信されてきた通信履歴を前記着信の発信元の通信端末にて解釈可能な形態に変換して当該通信端末に通知する変換手段を有するネットワークシステム。
【請求項３】
請求項１または請求項２に記載のネットワークシステムにおいて、
前記データベース更新手段は、当該エッジ装置の配下の通信端末からの発信のうち最新の発信についての情報、及び当該エッジ装置の配下の通信端末への着信のうち最新の着信についての情報を前記通信履歴として前記データベースに保持するネットワークシステム。
【請求項４】
回線交換用ネットワークに接続され、前記回線交換用ネットワークを介して通信を行う通信端末を配下に持つエッジ装置において、
当該エッジ装置の配下の通信端末についての過去の通信履歴を保持するデータベースと、
当該エッジ装置の配下の通信端末から発信があった場合、または当該エッジ装置の配下の通信端末に着信があった場合に、その旨を前記通信履歴として前記データベースに保持するデータベース更新手段と、
当該エッジ装置の配下の通信端末に着信があった場合であって、当該通信端末との接続が不可能である場合、前記データベースから当該通信端末の通信履歴を取り出し、該通信履歴を当該着信の発信元の通信端末を配下に持つエッジ装置に送信する通信履歴提供手段とを有するエッジ装置。
【請求項５】
請求項４に記載のエッジ装置において、
他のエッジ装置の前記通信履歴提供手段から送信されてきた通信履歴を前記着信の発信元の通信端末にて解釈可能な形態に変換して当該通信端末に通知する変換手段を有するエッジ装置。
【請求項６】
請求項４または請求項５に記載のエッジ装置において、
前記データベース更新手段は、当該エッジ装置の配下の通信端末からの発信のうち最新の発信についての情報、及び当該エッジ装置の配下の通信端末への着信のうち最新の着信についての情報を前記通信履歴として前記データベースに保持するエッジ装置。
【請求項７】
複数の通信端末と、前記通信端末を配下に持つ複数のエッジ装置とを有し、前記複数の通信端末が前記エッジ装置及び回線交換用ネットワークを介して通信を行うネットワークシステムにおけるプレゼンス情報通知方法であって、
前記エッジ装置が、当該エッジ装置の配下の通信端末から発信があった場合、または当該エッジ装置の配下の通信端末に着信があった場合に、その旨を当該エッジ装置の配下の通信端末についての過去の通信履歴としてデータベースに保持しておくデータベース更新処理と、
前記エッジ装置が、当該エッジ装置の配下の通信端末に着信があった場合であって、当該通信端末との接続が不可能である場合、前記データベースから当該通信端末の通信履歴を取り出し、該通信履歴を当該着信の発信元の通信端末を配下に持つエッジ装置に送信する通信履歴提供処理とを有するプレゼンス情報通知方法。
【請求項８】
回線交換用ネットワークに接続され、前記回線交換用ネットワークを介して通信を行う通信端末を配下に持つエッジ装置に、
当該エッジ装置の配下の通信端末から発信があった場合、または当該エッジ装置の配下の通信端末に着信があった場合に、その旨を当該エッジ装置の配下の通信端末についての過去の通信履歴としてデータベースに保持しておくデータベース更新手順と、
当該エッジ装置の配下の通信端末に着信があった場合であって、当該通信端末との接続が不可能である場合、前記データベースから当該通信端末の通信履歴を取り出し、該通信履歴を当該着信の発信元の通信端末を配下に持つエッジ装置に送信する通信履歴提供手順とを実行させるためのプログラム。
【発明の詳細な説明】
【技術分野】
【０００１】
本発明は、回線交換型の通信において接続不能となった端末の状態を確認する技術に関する。
【背景技術】
【０００２】
地震等の大規模災害が発生した場合、回線交換型の通信においては、通信回線が輻輳状態となって接続不能になる場合がある。その場合、通信回線からは、接続できない旨のみが伝えられるため、接続不能が通知されても、利用者は再度回線接続を試み、その結果、多くの場合その輻輳状態が長時間に及んでしまう。
【０００３】
この状態を緩和するための方法として、「災害用伝言ダイヤル」等が利用されている（例えば、非特許文献１，２参照）。これは、特定の番号に電話をかけて音声を録音するという伝言板の仕組みを提供することで、安否確認の発信量の絶対量を減らし、接続不能な状態になることを抑制するものである。
【先行技術文献】
【非特許文献】
【０００４】
【非特許文献１】http://www.ntt-east.co.jp/saigai/voice171/intro.html
【非特許文献２】http://www.ntt-east.co.jp/saigai/voice171/images/manual.pdf
【発明の概要】
【発明が解決しようとする課題】
【０００５】
しかしながら、上述したような災害用伝言ダイヤルにおいても、被災地以外からの発信が規制される場合は、輻輳状態を解消することはできない。また、災害用伝言ダイヤル自体、普段は使わないシステムであるため、利用者は非常時にその利用の仕方が分からず、実際には音声があまり録音されず、その結果、探したい人の電話番号が登録されていない等の問題点がある。この場合、探したい人が安全な状態でないために音声が録音されていないのか、探したい人が安全な状態にいながらもただ単に音声を登録していないのかを区別することができず、利用者の不安を更に増大させ、更なる輻輳が生じてしまう虞れがある。
【０００６】
本発明は、上述したような従来の技術が有する問題点に鑑みてなされたものであって、通信端末に対して特別な操作を行うことなく相手の通信端末の状態を確認することができるネットワークシステム、エッジ装置、プレゼンス情報通知方法及びプログラムを提供することを目的とする。
【課題を解決するための手段】
【０００７】
上記目的を達成するために本発明は、
複数の通信端末と、前記通信端末を配下に持つ複数のエッジ装置とを有し、前記複数の通信端末が前記エッジ装置及び回線交換用ネットワークを介して通信を行うネットワークシステムにおいて、
前記複数のエッジ装置のそれぞれは、
当該エッジ装置の配下の通信端末についての過去の通信履歴を保持するデータベースと、
当該エッジ装置の配下の通信端末から発信があった場合、または当該エッジ装置の配下の通信端末に着信があった場合に、その旨を前記通信履歴として前記データベースに保持するデータベース更新手段と、
当該エッジ装置の配下の通信端末に着信があった場合であって、当該通信端末との接続が不可能である場合、前記データベースから当該通信端末の通信履歴を取り出し、該通信履歴を当該着信の発信元の通信端末を配下に持つエッジ装置に送信する通信履歴提供手段とを有する。
【０００８】
また、回線交換用ネットワークに接続され、前記回線交換用ネットワークを介して通信を行う通信端末を配下に持つエッジ装置において、
当該エッジ装置の配下の通信端末についての過去の通信履歴を保持するデータベースと、
当該エッジ装置の配下の通信端末から発信があった場合、または当該エッジ装置の配下の通信端末に着信があった場合に、その旨を前記通信履歴として前記データベースに保持するデータベース更新手段と、
当該エッジ装置の配下の通信端末に着信があった場合であって、当該通信端末との接続が不可能である場合、前記データベースから当該通信端末の通信履歴を取り出し、該通信履歴を当該着信の発信元の通信端末を配下に持つエッジ装置に送信する通信履歴提供手段とを有する。
【０００９】
また、複数の通信端末と、前記通信端末を配下に持つ複数のエッジ装置とを有し、前記複数の通信端末が前記エッジ装置及び回線交換用ネットワークを介して通信を行うネットワークシステムにおけるプレゼンス情報通知方法であって、
前記エッジ装置が、当該エッジ装置の配下の通信端末から発信があった場合、または当該エッジ装置の配下の通信端末に着信があった場合に、その旨を当該エッジ装置の配下の通信端末についての過去の通信履歴としてデータベースに保持しておくデータベース更新処理と、
前記エッジ装置が、当該エッジ装置の配下の通信端末に着信があった場合であって、当該通信端末との接続が不可能である場合、前記データベースから当該通信端末の通信履歴を取り出し、該通信履歴を当該着信の発信元の通信端末を配下に持つエッジ装置に送信する通信履歴提供処理とを有する。
【００１０】
また、回線交換用ネットワークに接続され、前記回線交換用ネットワークを介して通信を行う通信端末を配下に持つエッジ装置に実行させるためのプログラムであって、
当該エッジ装置の配下の通信端末から発信があった場合、または当該エッジ装置の配下の通信端末に着信があった場合に、その旨を当該エッジ装置の配下の通信端末についての過去の通信履歴としてデータベースに保持しておくデータベース更新手順と、
当該エッジ装置の配下の通信端末に着信があった場合であって、当該通信端末との接続が不可能である場合、前記データベースから当該通信端末の通信履歴を取り出し、該通信履歴を当該着信の発信元の通信端末を配下に持つエッジ装置に送信する通信履歴提供手順とを実行させる。
【発明の効果】
【００１１】
本発明は、以上説明したように構成されているので、利用者は通信端末に対して特別な操作を行うことなく通常の操作を行うだけで、相手の通信端末が接続不可能な場合でも、相手の通信端末の状態を確認することができる。それにより、災害時等において咄嗟の操作を行うだけで、利用者の不安を早急に取り除くことができ、通信回線の輻輳が抑制されることになる。
【図面の簡単な説明】
【００１２】
【図１】本発明のネットワークシステムの実施の一形態を示す図であり、（ａ）は全体の構成を示す図、（ｂ）は（ａ）に示したエッジ装置の構成を示すブロック図である。
【図２】図１に示したプレゼンス用データベースの構成を示す図である。
【図３】図１及び図２に示したネットワークシステムの動作の概要を説明するための図である。
【図４】図１及び図２に示したネットワークシステムにて回線交換に成功した場合の動作を説明するための図である。
【図５】図１及び図２に示したネットワークシステムにて回線交換に失敗した場合の動作を説明するための図である。
【発明を実施するための形態】
【００１３】
以下に、本発明の実施の形態について図面を参照して説明する。
【００１４】
図１は、本発明のネットワークシステムの実施の一形態を示す図であり、（ａ）は全体の構成を示す図、（ｂ）は（ａ）に示したエッジ装置１０ａ〜１０ｃの構成を示すブロック図である。図２は、図１に示したプレゼンス用データベース１１の構成を示す図である。
【００１５】
本形態は図１（ａ）に示すように、通信端末となる複数のノード２０ａ〜２０ｄと、回線交換用ネットワーク３０に接続され、ノード２０ａ〜２０ｄを配下に持つ複数のエッジ装置１０ａ〜１０ｃとから構成されており、ノード２０ａ〜２０ｄが、エッジ装置１０ａ〜１０ｃ及び回線交換用ネットワーク３０を介して通信を行うものである。なお、本形態においては、エッジ装置１０ａがノード２０ａを配下に持ち、エッジ装置１０ｂがノード２０ｂ，２０ｃを配下に持ち、エッジ装置１０ｃがノード２０ｄを配下に持っているが、これらエッジ装置とノードの数はこれに限らない。
【００１６】
回線交換用ネットワーク３０は、発信ＩＤと着信ＩＤを指定して回線交換を行う。また、回線交換用ネットワーク３０は、エッジ装置１０ａ〜１０ｃからの接続要求に対して、接続相手のノードが接続可能である場合は、送信された情報を接続相手まで届け、また、接続相手のノードが輻輳状態によって接続不可能である場合は、接続相手のエッジ装置１０ａ〜１０ｃにて保持される情報をエラーとして返す。
【００１７】
ノード２０ａ〜２０ｄは、発信先ノードＩＤを指定して発信する機能と、他のノードから着信する機能とを有する。
【００１８】
エッジ装置１０ａ〜１０ｃのそれぞれは、図１（ｂ）に示すように、プレゼンス用データベース１１を有しており、データベース更新部１２と、通信履歴提供部１３と、変換部１４と、通信制御部１５とから構成されている。
【００１９】
プレゼンス用データベース１１には、このプレゼンス用データベース１１を有するエッジ装置１０ａ〜１０ｃの配下のノードについての過去の通信履歴が保持されている。具体的には、図２に示すように、配下となるノード毎に、そのノードの過去の発信情報及び着信情報が、ノードを識別するためのノードＩＤに対応づけて保持されている。発信情報は、最終発信時刻と、発信先のノードを識別可能な発信先ノードＩＤと、発信先のエッジ装置を識別可能な発信先エッジＩＤとから構成されている。着信情報は、最終着信時刻と、発信元のノードを識別可能な発信元ノードＩＤと、発信元のエッジ装置を識別可能な発信元エッジＩＤとから構成されている。
【００２０】
データベース更新部１２は、このデータベース更新部１２を有するエッジ装置１０ａ〜１０ｃの配下のノードから発信があった場合、またはこのデータベース更新部１２を有するエッジ装置１０ａ〜１０ｃの配下のノードに着信があった場合に、その旨を通信履歴としてプレゼンス用データベース１１に保持する。それにより、プレゼンス用データベース１１には、このプレゼンス用データベース１１を有するエッジ装置１０ａ〜１０ｃの配下のノードからの発信のうち最新の発信についての情報、及びプレゼンス用データベース１１を有するエッジ装置１０ａ〜１０ｃの配下のノードへの着信のうち最新の着信についての情報が通信履歴としてプレゼンス用データベース１１に保持されている。データベース更新部１２は、配下のノードから発信があった場合、そのノードのノードＩＤに対応づけられた最終発信時刻を現在時刻に書き換えるとともに、発信先ノードＩＤ及び発信先エッジＩＤを書き換える。また、配下のノードに着信があった場合であってそのノードとの回線接続に成功した場合に、そのノードのノードＩＤに対応づけられた最終着信時刻を現在時刻に書き換えるとともに、発信元ノードＩＤ及び発信先エッジＩＤを書き換える。
【００２１】
通信履歴提供部１３は、この通信履歴提供部１３を有するエッジ装置１０ａ〜１０ｃの配下のノードに着信があった場合であって、そのノードとの接続が不可能である場合、プレゼンス用データベース１１からそのノードの通信履歴を取り出し、取り出した通信履歴を、着信の発信元のノードを配下に持つエッジ装置１０ａ〜１０ｃに送信する。
【００２２】
変換部１４は、他のエッジ装置の通信履歴提供部１３から送信されてきた通信履歴を上記着信の発信元のノードにて解釈可能な形態に変換してそのノードに通知する。具体的には、ノードに対して着信要求があったものの、何らかの原因でエッジ装置との接続ができなかった場合に、そのエッジ装置から送信されてきた通信履歴である、そのノードにおける最終発信時刻、発信先ノードＩＤ、発信先エッジＩＤ、最終着信時刻、発信元ノードＩＤ、発信元エッジＩＤからなるデータを、発信元ノードにて解釈可能な形態に変換し、発信元ノードに通知する。
【００２３】
通信制御部１５は、回線交換用ネットワーク３０及び配下のノードに対する通信を制御する。
【００２４】
以下に、上記のように構成されたネットワークシステムの動作について説明する。
【００２５】
まず、図１及び図２に示したネットワークシステムの動作の概要について説明する。
【００２６】
図３は、図１及び図２に示したネットワークシステムの動作の概要を説明するための図である。
【００２７】
例えば、ノード２０ａとノード２０ｂとが通信を行っているとする。この場合、通常接続時においては、図３に示すように、ノード２０ａとノード２０ｂとは、エッジ装置１０ａ，１０ｂ及び回線交換用ネットワーク３０を介して通信を行っている。
【００２８】
そして、ある大規模災害等、輻輳が予想される事象が生じた場合、本発明におけるプレゼンス情報通知機能を用いた通信に切り替わる。そして、その時間以降は、指定したノードＩＤに対する発信や着信して接続したという結果、もしくは、発信しようとしたが着信先の都合で接続できなかったという結果の情報のみが通知されることとなり、安否確認等最低限のプレゼンス情報が提供される。この際、発信ノードも着信ノードも、通常接続時と同一の動作をすることとなる。
【００２９】
次に、具体的な動作について、ノード２０ａがノード２０ｂに接続要求をする場合を例に挙げて説明する。
【００３０】
まず、通常動作時にて回線交換に成功した場合の動作について説明する。
【００３１】
図４は、図１及び図２に示したネットワークシステムにて回線交換に成功した場合の動作を説明するための図である。
【００３２】
まず、発信元となるノード２０ａが、宛先のノード２０ｂのノードＩＤを指定して発信する（ステップ１）。
【００３３】
すると、ノード２０ａを配下に持つエッジ装置１０ａは、データベース更新部１２において、プレゼンス用データベース１１のノード２０ａのノードＩＤに対応づけられた発信先ノードＩＤ、発信先エッジＩＤ及び最終発信時刻を更新し（ステップ２）、回線交換用ネットワーク３０に発信要求を出す（ステップ３）。
【００３４】
回線交換用ネットワーク３０は、ノード２０ｂを配下に持つエッジ装置１０ｂにて接続可能な場合は、発信要求をエッジ装置１０ｂに転送して回線接続を行い（ステップ４）、ノード２０ｂにて受信処理が行われる（ステップ５）。
【００３５】
そして、回線が接続されたら、エッジ装置１０ｂは、データベース更新部１２において、プレゼンス用データベース１１のノード２０ｂのノードＩＤに対応づけられた発信元ノードＩＤ、発信元エッジＩＤ及び最終着信時刻を更新する（ステップ６）。
【００３６】
次に、災害等が発生して回線交換に失敗した場合の動作について説明する。
【００３７】
図５は、図１及び図２に示したネットワークシステムにて回線交換に失敗した場合の動作を説明するための図である。
【００３８】
まず、発信元となるノード２０ａが、宛先のノード２０ｂのノードＩＤを指定して発信する（ステップ１１）。
【００３９】
すると、ノード２０ａを配下に持つエッジ装置１０ａは、データベース更新部１２において、プレゼンス用データベース１１のノード２０ａのノードＩＤに対応づけられた発信先ノードＩＤ、発信先エッジＩＤ及び最終発信時刻を更新し（ステップ１２）、回線交換用ネットワーク３０に発信要求を出す（ステップ１３）。
【００４０】
そして、ノード２０ｂを配下に持つエッジ装置１０ｂにて接続が不可能な場合は（ステップ１４）、エッジ装置１０ｂの通信履歴提供部１３において、プレゼンス用データベース１１が参照され、プレゼンス用データベース１１からノード２０ｂの通信履歴を取り出し、取り出した通信履歴を、着信の発信元のノード２０ａを配下に持つエッジ装置１０ａに、接続不可能である旨を示す情報とともに送信する（ステップ１５，１６）。
【００４１】
エッジ装置１０ａは、変換部１４において、エッジ装置１０ｂから送信されてきた通信履歴を、ノード２０ａが解釈できる形態に変換し（ステップ１７）、ノード２０ａに通知する（ステップ１８）。具体的には、ノード２０ｂにおける最終発信時刻、発信先ノードＩＤ、発信先エッジＩＤ、最終着信時刻、発信元ノードＩＤ、発信元エッジＩＤが通知される。
【００４２】
本形態により、緊急な場合には直近の相手の発呼着呼状態や、電話の場合は消防や救急といった特定の番号に連絡したかを確認できることになり、それにより、発信先（多くの場合、着信が集中している被災地）のプレゼンス情報を確認することができる。こうすることにより、確認側の不安を早急に取り除くことができる。
【００４３】
また、災害用伝言ダイヤル等と異なり、利用者は、確認側、被確認側ともに通常の通信と同じ動作をすればよいこととなり、これまで行おうとしていた咄嗟の安否確認等の動作を行うだけで、自動的に情報が登録され、プレゼンス情報を提供することができるようになる。
【００４４】
なお、本発明においては、エッジ装置１０ａ〜１０ｃ内の処理は上述の専用のハードウェアにより実現されるもの以外に、その機能を実現するためのプログラムをエッジ装置１０ａ〜１０ｃにて読取可能な記録媒体に記録し、この記録媒体に記録されたプログラムをエッジ装置１０ａ〜１０ｃに読み込ませ、実行するものであっても良い。エッジ装置１０ａ〜１０ｃにて読取可能な記録媒体とは、ＩＣカードやメモリカード、あるいは、フロッピーディスク（登録商標）、光磁気ディスク、ＤＶＤ、ＣＤ等の移設可能な記録媒体の他、エッジ装置１０ａ〜１０ｃに内蔵されたＨＤＤ等を指す。この記録媒体に記録されたプログラムは、例えば、制御ブロックにて読み込まれ、制御ブロックの制御によって、上述したものと同様の処理が行われる。
【００４５】
（実施例）
以下に、上述した実施の形態における実施例について説明する。
【００４６】
まず、電話の例について説明する。
【００４７】
電話の場合、ノードＩＤは電話番号となり、エッジ装置１０ａ〜１０ｃは交換機となる。エッジ装置１０ａ〜１０ｃの変換部１４における変換は、ある電話番号に対して着信要求があったが、回線交換が一杯である、端末に電源が入っていない等の理由でつながらない場合、プレゼンス用データベース１１の項目からその電話番号に対する最終発信時刻と最終着信時刻とのうち、より後の方の情報を音声に変換し、それを発信元ノードに対して伝える。
【００４８】
例えば、「おかけになった電話番号は、１４時２０分３５秒に発信しています」、「おかけになった電話番号は、１４時２０分３５秒に福島県内から発信しています」、「おかけになった電話番号は、１４時２０分３５秒に消防/救急に発信しています」、「おかけになった電話番号は、１４時２０分１５秒に着信、通話しています」といったアナウンスを流し、その後「かかりにくくなっておりますので、時間をおいておかけ直しください」といった通常のアナウンスを流すこと等が考えられる。
【００４９】
次に、通信回線を介して画像情報を送受信するファクシミリの例について説明する。
【００５０】
災害時等でファクシミリが通じない場合、本手法を用いることで、エラー通知のみを利用者に送るのではなく、「送信先のファクシミリは、１４時２０分３５秒に発信しています」、「送信先のファクシミリは、１４時２０分１５秒に着信しています」といったメッセージを表示し、その後「繋がりづらくなっておりますので、時間をおいておかけ直しください」といった旨のメッセージを表示し、返信する。
【００５１】
ファクシミリの回線の場合、その電話番号に対する最終発信時刻と最終着信時刻とのうち、より後の方の情報を画像に変換し、それを発信元ノードに対して伝える。
【符号の説明】
【００５２】
１０ａ〜１０ｃ    エッジ装置
１１    プレゼンス用データベース
１２    データベース更新部
１３    通信履歴提供部
１４    変換部
１５    通信制御部
２０ａ〜２０ｄ    ノード
３０    回線交換用ネットワーク
【図１】
2013090091.tif 000003
【図２】
2013090091.tif 000004
【図３】
2013090091.tif 000005
【図４】
2013090091.tif 000006
【図５】
2013090091.tif 000007